(57)【要約】      （修正有）【課題】水平面より低い位置にも十分な旋風を送ることができ、電源コードを収納する場合には簡単に巻き取ることができるサーキュレータを提供する。【解決手段】内部に電動機と羽根を装着したケース本体２と、前記ケース本体２を俯角調節機構１０を介して上下方向に首振り自在に支承した脚部５と、を備えたサーキュレータであって、前記俯角調節機構１０は、ケース本体２を水平位置に対して下側まで調整可能にする構成とした。【選択図】図１
2014037836.tif 000002
【特許請求の範囲】
【請求項１】
内部に電動機と羽根を装着したケース本体と、俯角調節機構を介して前記ケース本体を上下方向に首振り自在に支承した脚部とを備えたことを特徴とするサーキュレータ。
【請求項２】
前記俯角調節機構は、脚部のガイド孔を貫通するシャフトと、前記シャフトに固定され複数の位置決め穴が形成されたブラケットと、前記位置決め穴に係合して所定の俯角を保持するストッパと、前記ストッパを前記位置決め穴に押圧するバネと、前記バネとストッパを収容する脚部に形成されたストッパ筒と、を備えたことを特徴とする請求項１に記載のサーキュレータ。
【請求項３】
前記脚部の裏面には、電源コード巻取り用のガイド部が設けられていることを特徴とする請求項１に記載のサーキュレータ。
【請求項４】
前記ガイド部は、略円盤状の主板の周囲に外側に突き出した複数のガイド突起が形成されていることを特徴とする請求項３に記載のサーキュレータ。
【発明の詳細な説明】
【技術分野】
【０００１】
本発明は、床や卓上に置かれ空気を攪拌して部屋の温度を均一化するサーキュレータに
関する。
【背景技術】
【０００２】
近年、建物の断熱化が進み、夏はクーラーなどの冷房用機器を使用して暑さをしのぎ、
冬はストーブなどの暖房器具で暖房するのが一般的になってきた。ところが、夏に冷房用
機器を使用した場合には、足元は冷えるが頭上の方は冷えないという問題があり、暖房の
場合は頭上の方は暖かいが、足元の方は暖かくならないという問題が発生していた。そこ
で、この問題を解決するものとして、特許文献１に示すようなサーキュレータがあった。
【０００３】
このサーキュレータは、室内上部の暖かい空気を室内下方へ送るまたは室内下方の冷たい
空気を上方に送るための壁掛け式または床置き式サーキュレータにおいて、その内部に室
温センサー１個を配置し、あらかじめ任意に設定した室温に達した段階でそのサーキュレ
ータの電動機を自動的運転開始、または自動的に運転停止を行えるようにしたことを特徴
とするものである。
【先行技術文献】
【特許文献】
【０００４】
【特許文献１】実登３１０４９００号公報
【発明の概要】
【発明が解決しようとする課題】
【０００５】
しかしながら、この特許文献１に示す壁掛け式のサーキュレータにおいては、冬期は壁
掛け式にして、室内上部の暖かい空気を室内下方へ送る必要があり、夏は床面に置いて床
面付近の冷たい空気を上方に送ることが必要になり、夏と冬では使用場所を変える作業を
必要とした。特に壁掛け式にする場合は、壁の高い位置に取付け場所を作る必要があり、
さらに、その場所に取付ける作業が必要となり、手間がかかる上に、危険性を伴うもので
あった。
【０００６】
本発明は前述した従来の問題点鑑みなされたものであり、サーキュレータを壁掛け式に
しなくても部屋全体の温度を均一化することができ、使い勝手の良いサーキュレータを提
供するものである。
【課題を解決するための手段】
【０００７】
上記課題を解決するため、請求項１の発明にあっては、内部に電動機と羽根を装着したケ
ース本体と、俯角調節機構を介して前記ケース本体を上下方向に首振り自在に支承した脚
部とを備えたことを特徴とするものである。
【０００８】
また、請求項２の発明にあっては、前記俯角調節機構は、脚部のガイド孔を貫通するシャ
フトと、前記シャフトに固定され複数の位置決め穴が形成されたブラケットと、前記位置
決め穴に係合して所定の俯角を保持するストッパと、前記ストッパを前記位置決め穴に押
圧するバネと、前記バネとストッパを収容する脚部に形成されたストッパ筒と、を備えた
ことを特徴としている。
【０００９】
また、請求項３の発明にあっては、前記脚部の裏面には、電源コード巻取用のガイド部が
設けられていることを特徴としている。
【００１０】
また、請求項４の発明にあっては、前記ガイド部は、略円盤状の主板の周囲に外側に突出
した複数のガイド突起が形成されていることを特徴とするものである。
【発明の効果】
【００１１】
本発明によれば、俯角調節機構によりケース本体を上下方向に自在に調節可能としたの
で、水平面より低い位置にも十分な旋風を送ることができ、室内の空気を効率よく循環し
、室内の温度を一定化するのに効果を発揮するものである。また、電源コード巻取用のガ
イド部により、電源コードを収納する場合には簡単に巻き取ることができ、収納性も優れ
たものとなる。
【図面の簡単な説明】
【００１２】
【図１】本発明に係るサーキュレータを示す斜視図である。
【図２】図１のＸ−Ｘ断面図である。
【図３】図１に示すサーキュレータの俯角調節機構をＡ方向より見た分解斜視図である。
【図４】図３の俯角調節機構を反対側より見た分解斜視図である。
【図５】図１に示すサーキュレータのコード巻取用のガイド部を底面方向より見た平面図である。
【発明を実施するための形態】
【００１３】
以下、本発明の実施の形態を添付図面に基づいて説明する。図１および図２は、本発明に
係るサーキュレータ１を示すもので、内部に電動機３と羽根４を装着したケース本体２と
、俯角調節機構１０を介してこのケース本体２を上下方向に首振り自在に支承した脚部５
と、を備えたものである。また、脚部５には２本の支柱５ａ、５ａが立設されており、こ
の支柱５ａ、５ａの頂部に俯角調節機構１０、１０が設けられている。
【００１４】
また、ケース本体２の前面には旋風を発生させるための桟を備えた前パネル６が取付け
られており、ケース本体の後面には吸い込み抵抗が少ない形状の桟が形成された後パネル
７が取付けられている。さらに、脚部５の前面には、オン・オフおよび風量調整用ツマミ
８が取付けられており、この脚部５の底面には、後述する電源コード巻取用のガイド部２
０が取付けられている。
【００１５】
ケース本体２は、ポリプロピレンなどの合成樹脂材料から外形の形状が略太鼓状に形成さ
れたもので、内部に電動機３と羽根４が装着されている。このケース本体２の前面側には
、前パネル６が取付けられており、吸い込んだ空気を効率よく旋風を発生させ、しかもで
きるだけ遠方に送出するようになっている。また、後パネル７は、ケース本体２と一体に
形成されている。
【００１６】
前パネル６は、ハイインパクトポリスチレンなどの耐衝撃性の高い合成樹脂材料から形成
されたもので、前面６ａは螺旋状に形成された桟が設けられており、側面６ｂは後方側が
やや径大に形成されたラッパ状となっており、ケース本体２の内側に係止されるものであ
る。そして、この側面６ｂの内側は、図２に示すように、滑らかに仕上げられている。
【００１７】
このように構成されたケース本体２により、後パネル７から吸い込まれた空気は羽根４に
より所定の風速を与えられ、前パネル６を通過することにより螺旋状になって送り出され
るものである。しかも、前パネル６の側面６ｂの内側が滑らかになっているので、不要な
乱流が発生せず、静音化が図られている。
【００１８】
また、俯角調節機構１０は、図３または図４に示すように、脚部５の支柱５ａに形成され
たガイド孔５ｂを貫通するシャフト２ａと、このシャフト２ａに固定され複数の位置決め
穴１１ａ、１１ａ、１１ａ・・・が形成されたブラケット１１と、この位置決め穴１１ａ
、１１ａ、１１ａ・・・に係合して所定の俯角を保持するストッパ１２と、このストッパ
１２を位置決め穴１１ａ、１１ａ、１１ａ・・・に押圧するバネ１３と、このバネ１３と
ストッパ１２を収容する脚部に形成されたストッパ筒１４と、を備えている。
【００１９】
また、ケース本体２のシャフト２ａとブラケット１１の固定は３本のネジ１５、１５、１
５で行い、固定後は外側よりキャップ１６を装着するものである。
【００２０】
このように構成された俯角調節機構１０は、複数の位置決め穴１１ａ、１１ａ、１１ａ・
・・が形成されたブラケット１１とストッパ１２により、脚部５に対してほぼ任意の角度
にケース本体２を設定することができる。即ち、ケース本体２の俯角を変更する場合は、
ケース本体２の頂部に手をかけてバネ１３に抗して回動させてやれば、簡単に１ステップ
づつ回動するので、極めて簡単に俯角の調節ができるものである。
【００２１】
上述したように、本発明のサーキュレータは、この俯角調節機構１０により、室内の空気
を循環させる場合は、最も適切な俯角により効率よく循環させることができる。そして、
従来のサーキュレータでは難しい水平面以下の位置に対しても自在に送風できるので、サ
ーキュレータの設置高さを変えるこなくケース本体２の俯角のみを調整すればよいので、
非常に使い勝手が高まるものである。
【００２２】
また、図５に示す電源コード９巻取用のガイド部２０は、脚部５の裏面に取付けられたも
ので、略円盤状の主板２１の周囲に、外側に突き出した２箇所のガイド突起２２，２２が
形成されている。主板２１には、電源コード９を巻取るために縁壁２３が形成されており
、この縁壁２３の高さは電源コード９が２〜３回巻き付けられる高さとなっている。また
、この縁壁２３の一部に切欠２４が形成され、電源コード９の引出口２４となっている。
【００２３】
このように構成されたガイド部２０により、サーキュレータを使用しない場合には、電源
コード９をこのガイド部２０に巻取って収納することができるので、収納性が高まるもの
である。
【符号の説明】
【００２４】
１はサーキュレータ
２はケース本体
３は電動機
４は羽根
５は脚部
５ａは支柱
６は前パネル
７は後パネル
８は風量調整用ツマミ
９は電源コード
１０は俯角調整機構
１１はブラケット
１２はストッパ
１３はバネ
１４はストッパ筒
２０はガイド部
【図１】
2014037836.tif 000003
【図２】
2014037836.tif 000004
【図３】
2014037836.tif 000005
【図４】
2014037836.tif 000006
【図５】
2014037836.tif 000007